(57)【要約】【課題】    浴室及び浴室と浴室に隣接する空間とを仕切る間仕切りにおいて、入浴中はウォーターカーテンモードにすることによりユーザーのプライバシーが守られ、入浴後浴室の洗浄を行う際は浴室に隣接する空間より浴室洗浄モードの作動状況が容易に分かるため、誤って入室してしまうなどの危険性がない浴室システムを提供することを課題とする。【解決手段】  前記洗浄ノズルから洗浄水及び水道水を散布して浴室内を洗浄する浴室洗浄モードと、前記吐水ノズルから水道水を吐水して前期透明面材の全体にウォーターカーテンが形成されるようにするウォーターカーテンモードと、を有することを特徴とする浴室システムを提供する。【選択図】  図１
2009226019.tif 000002
【特許請求の範囲】
【請求項１】
浴室と浴室に隣接する空間とを仕切る間仕切りに取付けられた透明色で透視可能な透明面材と、
浴室内に設けられ、浴室内を洗浄するための洗浄水および水道水を散布可能な洗浄ノズルと、
前記透明面材に、水道水を吐水する吐水ノズルと、
前記浴室に隣接する空間に設けられ、前記洗浄ノズルを操作するための第一操作部と、
前記浴室内に設けられ、前記吐水ノズルを操作するための第二操作部と、
前記洗浄ノズルと前記吐水ノズルを制御する制御装置と、を備え、
前記制御装置は、
前記洗浄ノズルから洗浄水及び水道水を散布して浴室内を洗浄する浴室洗浄モードと、
前記吐水ノズルから水道水を吐水して前期透明面材の全体にウォーターカーテンが形成されるようにするウォーターカーテンモードと、を有することを特徴とする浴室システム。
【請求項２】
前記浴室洗浄モードにおいて、洗浄ノズルから噴射された洗浄水及び水道水が前記透明面材にかからないように、ノズルの方向が制御されることを特徴とする請求項１記載の浴室システム。
【請求項３】
前記浴室洗浄モードにおいて、洗浄ノズルから噴射された洗浄水及び水道水が前記透明面材にかからないように、ノズルからの吐水量が制御されることを特徴とする請求項１記載の浴室システム。
【請求項４】
前記ウォーターカーテンモードにおいて、透明面材の上部から透明面材全体に行き渡るように流される水が浴室床部分で集められ、再び透明面材の上部から流され循環する循環装置を有することを特徴とする請求項１記載の浴室システム。
【請求項５】
前記透明面材は、表面にパターン化された凹凸部やシボ状の突起等を有していることを特徴とする請求項１記載の浴室システム。
【発明の詳細な説明】
【技術分野】
【０００１】
本発明は浴室洗浄及び間仕切りに取り付けられた透明面材にウォーターカーテンを形成可能な浴室システムに関する。
【背景技術】
【０００２】
マンションなど窓のない浴室を持つ住宅や狭小地に建つ住宅では、狭い浴室をより広く見せる為、浴室と浴室に隣接する空間とを仕切る間仕切りに透明面材を用い、浴室内部と洗面室の内装を同一にして空間の同一化を図ることにより浴室側及び洗面室側の両方から開放感を得られるような浴室にする場合がある（例えば、特許文献１参照）。
【０００３】
浴室内部を洗浄するシステムについては、浴室天井に湯や水を散布する散布ノズルを設置し、浴室内部に向けて湯や水を散布することにより洗浄を行う方法が開示されている（例えば、特許文献２参照）。
【特許文献１】特開２００３−３３６４０９
【特許文献２】特開２００６−１５８４３３
【発明の開示】
【発明が解決しようとする課題】
【０００４】
浴室と浴室に隣接する空間とを仕切る間仕切りに透明面材を用いた場合、浴室の外から容易に浴室内部を窺うことが可能なため、入浴中のプライバシーが守られにくい問題がある。一方前記浴室洗浄システムについては、システムが作動している状況が浴室の外からは一見して分からないため、例えば浴室天井から高温の湯を散布している最中に人が誤って浴室へ入室してしまうなどの危険性がある。
【課題を解決するための手段】
【０００５】
本発明の一様態によれば、浴室と浴室に隣接する空間とを仕切る間仕切りに取付けられた透明色で透視可能な透明面材と、
浴室内に設けられ、浴室内を洗浄するための洗浄水および水道水を散布可能な洗浄ノズルと、
前記透明面材に、水道水を吐水する吐水ノズルと、
前記浴室に隣接する空間に設けられ、前記洗浄ノズルを操作するための第一操作部と、
前記浴室内に設けられ、前記吐水ノズルを操作するための第二操作部と、
前記洗浄ノズルと前記吐水ノズルを制御する制御装置と、を備え、
前記制御装置は、
前記洗浄ノズルから洗浄水及び水道水を散布して浴室内を洗浄する浴室洗浄モードと、
前記吐水ノズルから水道水を吐水して前記透明面材の全体にウォーターカーテンが形成されるようにするウォーターカーテンモードと、を有することを特徴とする浴室システムを提供する。
【発明の効果】
【０００６】
本発明によれば、入浴中はウォーターカーテンモードにすることによりユーザーのプライバシーが守られ、また入浴後に浴室の洗浄を行う際は、浴室に隣接する空間から透明面材を通して浴室洗浄モードの作動状況が容易に分かるため、誤って入室してしまうなどの危険性がない浴室システムを提供することができる。
【発明を実施するための最良の形態】
【０００７】
以下、本発明の浴室システムの実施形態について説明する。
【０００８】
図１は浴室システムの概略である。また図２は浴室システムのフローチャートである。図１に示すように浴室システムは、浴室と浴室に隣接する空間とを仕切る間仕切りに取付けられた透明色で透視可能な透明面材１と、浴室内の天井９の略中央に設けられ、浴室内を洗浄するための洗浄水および水道水を散布可能な洗浄ノズル２と、浴室内における透明面材１の上部に取り付けられ透明面材１に水道水を吐水する吐水ノズル３と、前記浴室に隣接する空間の壁面１０に設けられ、前記洗浄ノズルから洗浄水および水道水を吐水する浴室洗浄モードの運転開始および停止を操作するための第一操作部４と、前記浴室に隣接する空間に設けられ、洗浄ノズル２に洗剤を供給するための洗剤投入口７と、前記浴室内の壁面１１に設けられ、前記吐水ノズルから水道水を吐水するウォーターカーテンモードの運転開始および停止を操作するための第二操作部５と、前記洗浄ノズルと前記吐水ノズルからの吐水状態を制御する制御装置６とから構成されている。
【０００９】
洗浄ノズル２と吐水ノズル３と第一操作部４と第二操作部５は、それぞれケーブル１２、１３、１４、１５を介して制御装置６に接続される。洗剤投入口７はケーブル１６で制御装置６と接続される。また、浴室内に設置される第二操作部５は防水構造が施されているが、浴室外に設置される第一操作部４及び制御装置６は精密な防水構造を有していない。
【００１０】
透明面材１は、浴室と浴室に隣接する空間を仕切る無色透明なガラス製の壁面部分と、その一部に設けられたドアから成る。ドアの面材には壁面部分と同じ無色透明なガラスを用い、ドア額縁には金属製のサッシを用いる。
【００１１】
透明面材１の浴室側表面にはパターン化された凹凸部やシボ状の突起等が形成されており、その表面に流された水が凹凸部や突起等の形状に従って波打つことにより、入浴中のユーザーにとってインテリアのように目を楽しませる効果を持つ。
【００１２】
洗浄ノズル２は回転ノズルとその中央にある支持パイプから構成される。回転ノズルには洗浄水及び水道水を吐水可能な多数の微細な穴が等間隔に設けられている。支持パイプ部は内部に洗浄水及び水道水を通水可能な流路を設けている。第一操作部４を介して制御装置６より浴室洗浄モード開始の信号が発信されると、回転ノズルは多数の微細な穴から洗浄水を吐水しながら、支持パイプ部を中心に一定時間回転する。これにより浴室内全体に洗浄水を散布することができ、洗剤自体に含まれる界面活性剤のはたらきにより浴室内の汚れを分解することができる。洗剤を散布して一定時間が経過すると、回転ノズルが回転しながら水道水を散布し、浴室内の洗剤を洗い流す。浴室洗浄モード中に第一操作部４を介して浴室洗浄モード停止の信号が発信されると、回転ノズルからの洗浄水の吐水が停止し、回転も止まる。
【００１３】
吐水ノズル３は浴室の天井の透明面材１付近に組み込まれたパイプ状の部材であり、その軸方向には水散布用の穴が等間隔に設けられている。このパイプ状の部材は、水平状に配置される。第二操作部５を介してウォーターカーテンモード開始の信号が出されると、制御装置６の指令により吐水ノズル３の穴から水道水が吐水される。この時、吐水ノズル３からの吐水量は透明面材１の表面全体を均一に流れ落ちることができるよう制御装置６によって制御される。また、吐水ノズル３から透明面材１に向けて吐水する水の噴射角は、ウォーターカーテンのインテリア性を損う不必要な泡沫が発生しないように制御装置６によって制御される。吐水ノズル３からの吐水により透明面材１の浴室側表面に水の膜が形成され、浴室外から浴室内が見えにくい効果が生まれる。ウォーターカーテンモード中に第二操作部５を介して制御装置６からウォーターカーテンモード停止の信号が発信されると、吐水ノズル３からの吐水が停止し、ウォーターカーテンオフとなる。
【００１４】
第一操作部４は市販のスイッチボックスを用いて脱衣所など浴室以外の室内に設置することが可能であり、浴室洗浄モードの開始／停止スイッチを備える。
【００１５】
第二操作部５はケーブル取り出し部を除き全体が防水構造となっており、またケーブル取り出し部の周囲にはパッキンが取り付けられている為、浴室内の壁にねじ固定した場合に壁裏及び第二操作部５内部に水が浸入しない構造である。また、前面にウォーターカーテンモードの開始／停止スイッチを備える。
【００１６】
制御装置６は第一操作部４及び第二操作部５を通じてユーザーからの指令を受け付け、洗浄ノズル２及び吐水ノズル３の向きや吐水量を制御することにより、浴室洗浄モード及びウォーターカーテンモードをコントロールする基板を内部に備えた金属筐体のボックスであり、浴室天井裏もしくは屋外に設置される。
【００１７】
次に、制御装置６によって制御される浴室システムの制御シーケンスを説明する。本システムの動作には浴室洗浄モードとウォーターカーテンモードがある。
【００１８】
図２に示すように、浴室洗浄モードを作動させる場合、まず浴室外にいるユーザーが浴室外（脱衣所など）の壁面１０に設置されている第一操作部４の開始ボタンを押す。第一操作部４で受け付けた開始信号は第一操作部ケーブル１４を介して制御装置６に送られる。その際、ウォーターカーテンモードは必ず停止するようプログラムされている。つまり、ウォーターカーテンモードと浴室洗浄モードが同時に実行できないようになっている。開始信号を受け付けた制御装置６は、まず洗剤投入口７内に洗剤が充填されているか確認する。洗剤の量が不足している場合は、第一操作部４に設けられたＬＥＤランプが点滅し、ユーザーに洗剤不足を知らせる。洗剤が十分充填されている場合は浴室洗浄が開始される。初めに洗浄ノズル２が回転しながら水道水を散布し、浴室内部全体を濡らして洗剤が付着し易い状態にする。水道水散布の後、洗浄ノズル２の回転は停止し、水滴が壁などの表面を十分濡らすまでそのまま一定時間放置される。次に制御ボックス６が洗剤投入口７から洗剤を吸い上げ、水道水と混ぜ合わせて粘性の低い洗浄水を作成した後、その洗浄水を洗浄ノズル２へ送る。洗浄ノズル２は一定時間回転しながら洗浄水を浴室内に散布した後、回転を停止し、洗浄水が壁などの表面に十分行き渡るまでそのまま一定時間放置する。これにより洗剤自身に含まれる界面活性剤のはたらきで浴室内に付着した汚れが分解される。最後に再度洗浄ノズル２が回転しながら水道水を散布し、浴室内に付着した洗浄水を洗い流す。
【００１９】
次にウォーターカーテンモードについて説明する。図３に示すように、ウォーターカーテンモードを作動させる場合、入浴中のユーザーが浴室内の壁面１１に設置された第二操作部５の開始ボタンを押す。第二操作部５で受け付けた開始信号は第二操作部ケーブル１５を介して制御装置６に送られ、ウォーターカーテンモードが開始される。ウォーターカーテンモードが始まると、吐水ノズル３から吐水方向・吐水量の制御された水道水が吐水され、透明面材１の表面全体を均一に、泡沫を発生させることなく流れ落ちる。ユーザーが第二操作部５に設けられた停止ボタンを押すと、停止信号が第二操作部ケーブル１５を介して制御装置６に送られ、制御装置６が吐水ノズル３の吐水を停止させる。なお、ウォーターカーテンモード中は浴室外に設けられた第一操作部４は受け付け不可となり、入浴中に浴室洗浄モードが作動するのを防ぐ。
【図面の簡単な説明】
【００２０】
【図１】浴室システム概略
【図２】浴室洗浄モードのフローチャート
【図３】ウォーターカーテンモードのフローチャート
【符号の説明】
【００２１】
１…透明面材
２…洗浄ノズル
３…吐水ノズル
４…第一操作部
５…第二操作部
６…制御装置
７…洗剤投入口
８…透明ドア
９…浴室天井
１０…脱衣所壁面
１１…浴室壁面
１２…洗浄ノズル用ケーブル
１３…吐水ノズル用ケーブル
１４…第一操作部ケーブル
１５…第二操作部ケーブル
１６…洗剤用ケーブル
【図１】
2009226019.tif 000003
【図２】
2009226019.tif 000004
【図３】
2009226019.tif 000005